(57)【要約】      （修正有）【課題】ガイド部材の取り外し作業を容易に行うことが可能な吐水装置を提供する。【解決手段】基端側から先端側に向かって延びる吐水管１０と、吐水管１０の先端側に着脱自在に保持され、吐水口を有する吐水口部材と、を備えた吐水装置であり、吐水管１０の内部に、吐水口部材に給水する吐水管１０の延び方向に移動自在な給水ホースと、給水ホースが摺動するガイド部材４０とが収容され、ガイド部材の先端側の端部に、吐水管１０の内周面１０Ａに接近するように広がる鍔部５１が設けられ、前記鍔部５１に、先端側から工具を差し込み自在な差込部６１が形成されている。【選択図】図５
2020045675.tif 000002
【特許請求の範囲】
【請求項１】
基端側から先端側に向かって延びる吐水管と、
前記吐水管の先端側に着脱自在に保持され、吐水口を有する吐水口部材と、
を備えた吐水装置であり、
前記吐水管の内部に、前記吐水口部材に給水する前記吐水管の延び方向に移動自在な給水ホースと、前記給水ホースが摺動するガイド部材とが収容され、
前記ガイド部材の前記先端側の端部に、前記吐水管の内周面に接近するように広がる鍔部が設けられ、
前記鍔部に、前記先端側から工具を差し込み自在な差込部が形成されている吐水装置。
【請求項２】
前記ガイド部材が、前記給水ホースの延び方向に長いガイド本体を有し、
前記鍔部が、湾曲形状をなして前記ガイド本体に繋がる湾曲部を有し、
前記差込部が、前記鍔部のうち前記湾曲部を除く領域に形成されている請求項１に記載の吐水装置。
【請求項３】
検知エリア内に被検知物があるか否かを検知するセンサを備え、前記センサの検知によって吐水及び止水を実行する吐水装置であり、
前記センサが、前記ガイド部材の前記給水ホースが摺動する側とは反対側に保持され、
前記鍔部が、前記センサ側に立つセンサ側鍔部を有し、
前記差込部が、前記センサ側鍔部に設けられている請求項１または請求項２に記載の吐水装置。
【発明の詳細な説明】
【技術分野】
【０００１】
本発明は、吐水装置に関する。
【背景技術】
【０００２】
従来、基端側から先端側に向かって延びる吐水管の先端側に、吐水口を有する吐水口部材が着脱自在に保持された吐水装置が知られている。吐水口部材に給水する給水ホースは吐水管の内部に収容されている。
【０００３】
給水ホースは、吐水管の内部に取り付けられたガイド部材に沿って摺動し、吐水管の開口から出し入れされる。ガイド部材は、吐水管の延び方向に長く、ガイド部材の先端部には、吐水管の内周面に接近するように広がる鍔部が設けられている（例えば下記特許文献１に記載）。鍔部が設けられることにより、給水ホースがガイド部材の端部に引っ掛かることを防ぐことができる。
【先行技術文献】
【特許文献】
【０００４】
【特許文献１】特開２０１０−１３３１３１号公報
【発明の概要】
【発明が解決しようとする課題】
【０００５】
しかしながら、上記のような構成では、吐水管からガイド部材を取り外す場合、吐水管の開口からガイド部材の鍔部と吐水管の内周面との間のわずかな隙間に専用の工具を差し込んで引掛ける必要があり、作業が容易ではないという問題があった。例えば吐水管の内部に取り付けられているセンサ等の部品を交換する場合には、吐水管からガイド部材を取り外す必要があるため、改善が望まれていた。
【０００６】
本発明は上記のような事情に基づいて完成されたものであって、ガイド部材の取り外し作業を容易に行うことが可能な吐水装置を提供することを目的とする。
【課題を解決するための手段】
【０００７】
本発明の吐水装置は、基端側から先端側に向かって延びる吐水管と、前記吐水管の先端側に着脱自在に保持され、吐水口を有する吐水口部材と、を備えた吐水装置であり、前記吐水管の内部に、前記吐水口部材に給水する前記吐水管の延び方向に移動自在な給水ホースと、前記給水ホースが摺動するガイド部材とが収容され、前記ガイド部材の前記先端側の端部に、前記吐水管の内周面に接近するように広がる鍔部が設けられ、前記鍔部に、前記先端側から工具を差し込み自在な差込部が形成されているものである。
【０００８】
本発明によれば、吐水管の先端側から鍔部の差込部に工具を差し込んで引掛けることができるから、ガイド部材の取り外し作業を容易に行うことができる。
【図面の簡単な説明】
【０００９】
【図１】実施例１における吐水装置を示す断面図
【図２】吐水管を示す斜視図
【図３】先端側ガイド部材を示す斜視図
【図４】センサユニットを保持した状態の先端側ガイド部材の先端部を示す拡大側面図
【図５】先端側から見たときの鍔部及び吐水管を示す断面図
【図６】先端側ガイド部材及び吐水管を示す断面図であって、図５のＡ−Ａ位置における断面に相当する断面図
【図７】実施例２における先端側ガイド部材を示す斜視図
【図８】先端側から見たときの鍔部及び吐水管を示す断面図
【発明を実施するための形態】
【００１０】
本発明の好ましい形態を以下に示す。
本発明の吐水装置は、前記ガイド部材が、前記給水ホースの延び方向に長いガイド本体を有し、前記鍔部が、湾曲形状をなして前記ガイド本体に繋がる湾曲部を有し、前記差込部が、前記鍔部のうち前記湾曲部を除く領域に形成されているものとしてもよい。ここで、給水ホースが差込部に接触する場合には、それによって摺動性が悪くなったり摺動音が発生する虞がある。しかしながら、本発明の構成によれば、給水ホースは湾曲部に沿って摺動し、湾曲部に差込部は形成されていないから、給水ホースの摺動性をよくすることができ、また摺動音の発生を抑えることができる。
【００１１】
また、本発明の吐水装置は、検知エリア内に被検知物があるか否かを検知するセンサを備え、前記センサの検知によって吐水及び止水を実行する吐水装置であり、前記センサが、前記ガイド部材の前記給水ホースが摺動する側とは反対側に保持され、前記鍔部が、前記センサ側に立つセンサ側鍔部を有し、前記差込部が、前記センサ側鍔部に設けられているものとしてもよい。このような構成によれば、センサが配される側に水が浸入した場合、センサ側鍔部の差込部から排水できるから、差込部を排水に利用できる。
【００１２】
＜実施例１＞
以下、本発明を具体化した実施例１について、図１〜図６を参照しつつ詳細に説明する。本実施例では、本発明をキッチン用のホース収納式自動水栓に適用した場合を説明する。
本実施例における吐水装置Ｍは、図１に示すように、基端側から先端側に向かって延びる吐水管１０と、吐水口１１を有して吐水管１０の先端側に着脱自在に保持される吐水口部材１２と、を備えている。吐水装置Ｍは、例えばキッチンのシンク周辺のカウンタに設置される。以下、各構成部材において、吐水管１０の延び方向に沿って図１の左側（吐水管１０の先端側）を先端側、右側（吐水管１０の基端側）を基端側として説明する。また、図１の上側を上側、下側を下側として説明する。
【００１３】
吐水管１０は、図１に示すように、中間部が湾曲して逆Ｕ字状に形成され、先端側が斜め下方に延びた、いわゆるグースネック状をなしている。吐水管１０は、金属パイプを折り曲げ加工により形成される。吐水管１０の先端部の下面には、円形状をなす穴部５９が貫通形成されている。
【００１４】
吐水管１０の基端部は、図１に示すように、水栓本体２２に固定されている。水栓本体２２には、図示しない混合弁と、混合弁を操作するハンドル部１６とが設けられている。ハンドル部１６は、左右回動操作によって水と湯との混合比率を調節し、上下回動操作によって吐水流量を調節する。
【００１５】
吐水管１０の上面には、センサ３１が嵌め込まれる窓部１３が開口している。窓部１３は、図２に示すように、吐水管１０の延び方向に長い形状をなし、吐水管１０の上端より先端側の位置に形成されている。
【００１６】
吐水管１０の先端部（窓部１３より先端側）には、図１に示すように、吐水口部材１２を着脱自在に保持する部材保持部１４が備えられている。部材保持部１４は、円筒形状をなしている。部材保持部１４の内側の開口１５から、給水ホース１８が出し入れされる。部材保持部１４は、ねじ等の固定部材１４Ａにより吐水管１０に固定されている。
【００１７】
吐水口部材１２は、吐水管１０の先端部（部材保持部１４）に着脱自在に取り付けられている。吐水口部材１２は、吐水口１１からの吐水をシャワー吐水とストレート吐水とに切り替えるための切替操作部１７を有している。切替操作部１７は、全体として円筒形状をなし、外周面に摘み部１７Ａが突設されている。摘み部１７Ａの位置を切替操作部１７の軸周りに所定角度回転させると、シャワー吐水とストレート吐水とが切り替えられる。
【００１８】
吐水管１０の内部には、吐水口部材１２に給水する給水ホース１８と、給水ホース１８が摺動するガイド部材４０と、センサユニット３０とが収容されている。
給水ホース１８は、可撓性のある金属製であり、一端が吐水口部材１２に接続され、他端が混合弁から延びた図示しない給水路に接続されている。給水ホース１８は、吐水管１０の内部に、吐水管１０の軸方向に所定の長さだけ移動自在に収容されている。給水ホース１８内を流れた水は、吐水口部材１２の吐水口１１から吐水される。
【００１９】
センサユニット３０は、図１に示すように、センサ３１とセンサ３１を保持するセンサホルダ３２と、センサ３１に接続された複数本の電線３３とを備えている。センサユニット３０は、吐水管１０の内側に取り付けられる。
【００２０】
センサ３１は、吐水管１０の窓部１３から上方に露出した状態で、吐水管１０の上面に配されている。センサ３１は、斜め前上方の検知エリア内に使用者の手等の被検知物があるか否かを検知し、被検知物の検知結果を示す信号を制御部に出力する。
【００２１】
制御部は、センサ３１からの出力信号に基づいて、給水ホース１８の上流側に連通する図示しない給水路に設けられた電磁弁を開閉し、吐水口１１からの給水の有無を切り替える。制御部は、検知エリア内で被検知物が検知されると、その後、被検知物が検知されなくなっても吐水口１１からの給水を継続し、検知エリア内で再び被検知物が検知されると、吐水口１１からの給水を停止する。
【００２２】
センサホルダ３２は、吐水管１０の上面に沿うように薄い板状をなして湾曲している。
電線３３は吐水管１０の内部を通り、カウンタの下部においてセンサ３１を制御する制御部や電源に接続され、検出に基づく信号を伝達し、またセンサ３１に電力を供給する。電線３３は、センサ３１側の電線３３Ａと制御部側もしくは電源側の電線３３Ｂとを有し、これらの電線３３Ａ，３３Ｂがコネクタ３４を介して接続されている。コネクタ３４より基端側の電線３３Ｂは、図１に示すように、外装部材３５に包囲され、結束バンド３６によって束ねられている。
【００２３】
ガイド部材４０は、給水ホース１８の延び方向に長いガイド本体４１を有している。ガイド本体４１は、吐水管１０の内部空間のうち上面に近い側に配されたガイド上面４１Ａを有している。ガイド上面４１Ａは、センサ３１等の電気部品を収容する電気部品収容部２１と、給水ホース１８を収容するホース収容部１９との間を仕切る仕切り部材を兼ねている。電気部品収容部２１は、ガイド上面４１Ａの一面側（湾曲形状における外側）に形成され、ホース収容部１９は、ガイド上面４１Ａの他面側（湾曲形状における内側）に形成されている。センサユニット３０と給水ホース１８とは、ガイド上面４１Ａによって離隔され、接触が防がれている。ホース収容部１９は、部材保持部１４の開口１５に連通している。
【００２４】
ガイド上面４１Ａのうちセンサユニット３０が保持される側の面（以後、表面５６と称する）には、センサユニット３０が先端側から係止する段差部４２が設けられている。段差部４２は、図１に示すように、ガイド上面４１Ａの表面５６と直交する方向に立ち上がっている。段差部４２には、センサユニット３０の結束バンド３６が先端側から係止する。これにより、センサユニット３０は、吐水管１０の軸方向に対して位置決めされ、基端側への位置ずれが規制される。したがって、コネクタ３４が吐水管１０の基端側に引っ張られて外れたり、電線３３が吐水管１０の基端側に引っ張られて断線したりすることを防止できる。
【００２５】
ガイド上面４１Ａのうち給水ホース１８が摺動する側の面（以後、裏面５８と称する）にはスロープ部４３が設けられている。スロープ部４３は、図１に示すように、段差部４２から基端側に向かって緩やかに傾斜した傾斜面６３を有している。これにより、給水ホース１８がスロープ部４３に沿って移動するため、摺動音を抑制することができる。
【００２６】
ガイド部材４０は、吐水管１０の先端側と基端側とに分割されている。吐水管１０の先端側に配されるガイド部材４０（以後、先端側ガイド部材４０Ａと称する）のガイド上面４１Ａと、吐水管１０の基端側に配されるガイド部材４０（以後、基端側ガイド部材４０Ｂと称する）のガイド上面４１Ａとは、連結部材４４により、表面５６が滑らかに連続するように連結されている。
【００２７】
基端側ガイド部材４０Ｂは、コネクタ３４及び電線３３を保持する。コネクタ３４及び電線３３は、基端側ガイド部材４０Ｂの表面５６に載置される。段差部４２及びスロープ部４３は、基端側ガイド部材４０Ｂに設けられている。また、基端側ガイド部材４０Ｂの表面５６には、電線３３を保持する一対の保持片４８が設けられている。
【００２８】
先端側ガイド部材４０Ａはセンサホルダ３２を保持する。センサホルダ３２は、先端側ガイド部材４０Ａの表面５６に載置される。
先端側ガイド部材４０Ａのガイド本体４１は、図３に示すように、ガイド上面４１Ａの幅方向における一方の側に寄った位置から垂下するガイド側面４５と、ガイド側面４５の下端からガイド上面４１Ａと対向するように延出したガイド下面４６とを備えている。ガイド上面４１Ａの下方の空間は、ガイド側面４５より一方の側が狭く、他方の側が広くなっており、広い側の空間がホース収容部１９とされている。
【００２９】
ガイド側面４５の下端は、図５に示すように、吐水管１０の内周面１０Ａに当接し、ガイド上面４１Ａを支持している。ガイド下面４６は、ガイド側面４５の下端からホース収容部１９側のみに延出している。ガイド下面４６は、吐水管１０の内周面１０Ａに沿った円弧形状をなしている。ホース収容部１９は、ガイド上面４１Ａと、ガイド側面４５と、ガイド下面４６と吐水管１０の内周面１０Ａとに囲まれてなる。なお、ガイド下面４６の先端部には、図６に示すように、吐水管１０の穴部５９を避けるように逃がし部５２が切欠き形成されている。
【００３０】
先端側ガイド部材４０Ａの先端側の端部には、図３及び図５に示すように、吐水管１０の内周面１０Ａに接近するように広がる鍔部５１が設けられている。鍔部５１は、ガイド上面４１Ａ及びガイド側面４５に設けられている。鍔部５１は、ガイド上面４１Ａの先端縁及びガイド側面４５の先端縁の全体にわたり切れ目なく連続して形成されている。鍔部５１は、ガイド上面４１Ａ及びガイド側面４５と吐水管１０との間の空間を塞ぐように立っている。鍔部５１は、ガイド上面４１Ａに設けられた本体鍔部５４と、ガイド側面４５に設けられた側面鍔部５５とを有している。
【００３１】
鍔部５１の外周面（立ち上がり端面）は、吐水管１０の内周面１０Ａに沿って湾曲した形状をなし、吐水管１０の内周面１０Ａに近接して配される近接面５１Ａを有している（図５参照）。鍔部５１の近接面５１Ａと吐水管１０の内周面１０Ａとの間の隙間は、ラジオペンチなどの汎用工具が入り込めないほどの小さな隙間とされている。
【００３２】
鍔部５１は、図４に示すように、吐水管１０の軸線１０Ｌに対して概ね直交方向に立っている。鍔部５１は、湾曲形状をなしてガイド上面４１Ａ及びガイド側面４５に繋がる湾曲部５３と、湾曲部５３から外周側に立つ鍔本体６４とを有している。
本体鍔部５４は、図４に示すように、センサホルダ３２の先端面３２Ａと近接している。本体鍔部５４とセンサホルダ３２の先端面３２Ａとは略平行をなしている。
【００３３】
本体鍔部５４の外周面（立ち上がり端面）には、図５に示すように、ガイド上面４１Ａの上面と略平行をなすストレート面５７が設けられている。ストレート面５７と吐水管１０の内周面１０Ａとの間には、横方向（水平方向）に細長い隙間５７Ａが形成されている。隙間５７Ａは、鍔部５１の近接面５１Ａと吐水管１０の内周面１０Ａとの間の隙間より大きいものの、汎用工具を差し入れることは困難な細い隙間である。
【００３４】
さて、鍔部５１には、図５に示すように、先端側から工具を差し込み自在な差込部６１が形成されている。差込部６１は、側面鍔部５５に設けられている。差込部６１は、正面から見ると、図５に示すように、縦方向に長い方形状をなしている。差込部６１は、側面鍔部５５のうちガイド側面４５の直線的な部分に対応した位置に形成されている。すなわち差込部６１は、ガイド側面４５のうちガイド上面４１Ａと連結する上端の湾曲した部分と、ガイド下面４６と連結する下端の湾曲した部分とを除いた直線部分に対応している。
【００３５】
差込部６１は、鍔部５１の外周側に開放された形態の切り欠きである。鍔部５１の近接面５１Ａは、差込部６１が形成されていることにより分断されている。言い換えると、すなわち差込部６１の開放側の上下両端に鍔部５１の近接面５１Ａが連なっている。
【００３６】
差込部６１は、図６に示すように、鍔部５１のうち湾曲部５３を除く領域に形成されている。差込部６１は、鍔部５１の近接面５１Ａから湾曲部５３に向かって切り欠かれ、鍔本体６４と湾曲部５３との境界位置まで形成されている。
【００３７】
次に、本実施形態の吐水装置Ｍにおけるガイド部材４０の取り外し作業の一例を説明する。
まず、吐水口部材１２を吐水管１０から取り外す。これに伴い、給水ホース１８が部材保持部１４の開口１５から引き出される。
次に、部材保持部１４を取り外す。固定部材１４Ａを取り外して、部材保持部１４を吐水管１０から取り外す。
【００３８】
次に、ガイド部材４０を取り外す。吐水口部材１２が取り外されたことにより開放された状態の吐水管１０の開口からラジオペンチなどの汎用工具を吐水管１０の内部に差し込む。工具を差込部６１に差し入れてガイド側面４５の先端部を挟持する、もしくは、工具を差込部６１に差し入れて側面鍔部５５に引っ掛け、先端側ガイド部材４０Ａを引っ張りだす。すると、先端側ガイド部材４０Ａに連結された基端側ガイド部材４０Ｂ、及び先端側ガイド部材４０Ａと基端側ガイド部材４０Ｂとに保持されたセンサユニット３０を引き出すことができる。
以上により、ガイド部材４０の取り外し作業が完了する。
【００３９】
次に、上記のように構成された実施例の作用および効果について説明する。
本実施例の吐水装置Ｍは、基端側から先端側に向かって延びる吐水管１０と、吐水口１１を有して吐水管１０の先端側に着脱自在に保持される吐水口部材１２と、を備えている。吐水管１０の内部には、吐水口部材１２に給水する給水ホース１８と、給水ホース１８が摺動するガイド部材４０とが収容されている。ガイド部材４０の先端側の端部には、吐水管１０の内周面１０Ａに接近するように広がる鍔部５１が設けられ、鍔部５１には、先端側から工具を差し込み自在な差込部６１が形成されている。この構成によれば、吐水管１０の先端側から鍔部５１の差込部６１に工具を差し込んで引掛けることができるから、ガイド部材４０の取り外し作業を容易に行うことができる。
【００４０】
また、ガイド部材４０が、給水ホース１８の延び方向に長いガイド本体４１を有し、鍔部５１が、湾曲形状をなしてガイド本体４１に繋がる湾曲部５３を有し、差込部６１が、鍔部５１のうち湾曲部５３を除く領域に形成されている。ここで、給水ホース１８が差込部６１に接触する場合には、それによって摺動性が悪くなったり摺動音が発生する虞がある。しかしながら、本実施例によれば、給水ホース１８は湾曲部５３に沿って摺動し、湾曲部５３に差込部６１は形成されていないから、給水ホース１８の摺動性をよくすることができ、また摺動音の発生を抑えることができる。
【００４１】
＜実施例２＞
次に、本発明を具体化した実施例２に係る吐水装置を図７及び図８によって説明する。
本実施例の吐水装置は、差込部８１が、本体鍔部（センサ側鍔部）５４に設けられている点で、実施例１とは相違する。なお、実施例１と同様の構成には同一符号を付して重複する説明を省略する。
【００４２】
本実施例に係る吐水装置は、実施例１と同様に、基端側から先端側に向かって延びる吐水管１０と、吐水口１１を有して吐水管１０の先端側に着脱自在に保持される吐水口部材１２と、を備えている。吐水管１０の内部には、実施例１と同様、吐水口部材１２に給水する給水ホース１８と、給水ホース１８が摺動するガイド部材４０とが収容されている。ガイド部材４０は、実施例１と同様、先端側ガイド部材４０Ａと基端側ガイド部材４０Ｂとを有し、先端側ガイド部材４０Ａの先端側の端部に、吐水管１０の内周面１０Ａに接近するように広がる鍔部５１が設けられている。鍔部５１は、実施例１と同様、ガイド上面４１Ａに設けられた本体鍔部５４と、ガイド側面４５に設けられた側面鍔部５５とを有している。鍔部５１には、実施例１と同様、先端側から工具を差し込み自在な差込部８１が形成されている。
【００４３】
差込部８１は、本体鍔部５４に設けられている。差込部８１は、正面から見ると、図８に示すように、縦方向に若干長い方形状をなしている。差込部８１は、本体鍔部５４のうちガイド上面４１Ａの直線的な部分に対応した位置に形成されている。すなわち差込部８１は、ガイド上面４１Ａのうちガイド側面４５と連結する左端の湾曲した部分を除いた直線部分に対応している。差込部８１は、鍔部５１の外周側に開放された形態の切り欠きであり、本体鍔部５４のストレート面５７は、差込部８１が形成されていることにより分断されている。言い換えると、差込部８１の開放側の幅方向両端に、本体鍔部５４のストレート面５７が連なっている。
【００４４】
以上のように本実施例においては、実施例１と同様、吐水管１０の先端側から鍔部５１の差込部８１に工具を差し込んで引掛けることができるから、ガイド部材４０の取り外し作業を容易に行うことができる。また、差込部８１が、本体鍔部５４に設けられているから、仮にセンサ３１が配される側に水が浸入した場合、差込部８１から排水でき、差込部８１を排水に利用できる。
【００４５】
＜他の実施例＞
本発明は上記記述及び図面によって説明した実施例に限定されるものではなく、例えば次のような実施例も本発明の技術的範囲に含まれる。
（１）上記実施例では、本発明を自動水栓に適用した場合を例示したが、これに限らず、本発明は自動水栓ではない水栓にも適用できる。
（２）上記実施例では、先端側ガイド部材４０Ａの具体的な形状を例示したが、これに限らず、先端側ガイド部材は、少なくとも給水ホースが摺動するものであればよく、全体的な形状は任意に変更できる。
（３）上記実施例では、ガイド部材４０が先端側と基端側とに分割されている場合を例示したが、これに限らず、ガイド部材は、先端側ガイド部材と基端側ガイド部材とに分割されていない一つの部品であってもよく、また３以上に分割されていてもよい。
（４）上記実施例では、電気部品がセンサユニット３０である場合を例示したが、これに限らず、電気部品は他の電気部品（例えばＬＥＤユニット等）であってもよい。
（５）上記実施例では、吐水管１０がいわゆるグースネック状をなしている場合を例示したが、これに限らず、吐水管は、例えば基端側から先端側に直線状に延びた形状のものであってもよい。
（６）上記実施例では、差込部６１（８１）が鍔部５１の外周側が開放された切欠きである場合を例示したが、これに限らず、例えば差込部は、全周が閉じた形態で鍔部を貫通する貫通孔であってもよい。
（７）上記実施例では、差込部６１（８１）が一のみ形成されているが、これに限らず、差込部は２以上設けてもよい。
（８）上記実施例では、ガイド本体４１のガイド上面４１Ａが電気部品収容部２１とホース収容部１９との間を仕切る仕切り部材を兼ねているが、これに限らず、ガイド本体は、仕切り部材を兼ねなくてもよい。
【符号の説明】
【００４６】
Ｍ…吐水装置
１０…吐水管
１０Ａ…吐水管の内周面
１１…吐水口
１２…吐水口部材
１８…給水ホース
３１…センサ
４０…ガイド部材
４１…ガイド本体
５１…鍔部
５３…湾曲部
５４…本体鍔部（センサ側鍔部）
６１，８１…差込部
【図１】
2020045675.tif 000003
【図２】
2020045675.tif 000004
【図３】
2020045675.tif 000005
【図４】
2020045675.tif 000006
【図５】
2020045675.tif 000007
【図６】
2020045675.tif 000008
【図７】
2020045675.tif 000009
【図８】
2020045675.tif 000010